(57)【要約】  装置（Ｄ）は、商品およびサービスに関連する情報の分析に専用のものである。この装置（Ｄ）は、商品またはサービスを表す識別子を受信した場合、この受信された識別子に応じてこの商品またはサービスをそれらから識別するために第１のデータにアクセスすること、次に少なくとも１つの情報源（ＳＩ）にアクセスし、その中で識別される商品またはサービスに関連する情報を検索すること、次に識別された商品またはサービスが少なくとも１つの選択されたルールのセットを満たすかどうかをこの検索された情報の中から判断すること、および少なくともこの判断の結果を示すメッセージを配信することを担う分析手段（ＭＡ）を含む。
2011523471.tif 000002
【特許請求の範囲】
【請求項１】
商品およびサービスに関する情報を分析するための方法であって、ｉ）第１のデータのセットの中で商品およびサービスを、それを表す識別子に応じて識別することと、ｉｉ）少なくとも１つの情報源の中で、前記識別された商品またはサービスに関する情報をリサーチすることと、ｉｉｉ）前記識別された商品またはサービスが、前記リサーチされた情報を考慮に入れて選択された少なくとも１つのルールのセットを満たすかどうか判断することと、ｉｖ）少なくとも前記判断の結果を示すメッセージを配信することとにあることを特徴とする、方法。
【請求項２】
前記識別された商品またはサービスが、選ばれたルールのセットを満たさないとき、このように満たさないことの少なくとも１つの理由を示すメッセージが一様に配信されることを特徴とする、請求項１に記載の方法。
【請求項３】
前記識別された商品またはサービスが、選ばれたルールのセットを満たさない可能性があるとき、このように満たさないことの可能性の少なくとも１つの理由を示すメッセージが一様に配信されることを特徴とする、請求項１および２のいずれか一項に記載の方法。
【請求項４】
前記識別された商品またはサービスが、選ばれたルールのセットを満たさないとき、または前記識別された商品またはサービスが前記選ばれたルールのセットを満たさない可能性があるとき、識別されたものと実質的に同等である少なくとも１つの商品またはサービスを特定する試みが行われ、したがって前記選ばれたルールのセットを満たし、このように特定された実質的に同等の各商品またはサービスを示すメッセージを一様に配信することを特徴とする、請求項１から３のいずれか一項に記載の方法。
【請求項５】
商品またはサービスが、商品またはサービスのクラスのインスタンスの特定に終わることから「強い」タイプである、あるいは商品またはサービスのクラスの付属物の特定に終わることから「弱い」タイプであると識別されることを特徴とする、請求項１から４のいずれか一項に記載の方法。
【請求項６】
ルールのセットの少なくとも一部が時間とともに動的に発展することを特徴とする、請求項１から５のいずれか一項に記載の方法。
【請求項７】
各識別子が、少なくとも１つのバーコードおよび１つの識別子を含む群から選ばれることを特徴とする、請求項１から６のいずれか一項に記載の方法。
【請求項８】
前記識別子が、ユーザ機器（ＵＥ）によって取得されて、その後提供されることを特徴とする、請求項１から７のいずれか一項に記載の方法。
【請求項９】
ルールのセットの少なくとも一部が、機器（ＵＥ）を所有するユーザと関連することを特徴とする、請求項１から８のいずれか一項に記載の方法。
【請求項１０】
ルールの少なくとも一部が、ユーザによって自然言語で、または仮制約として定義される「事前ルール」に基づいて生成され、所持する機器（ＵＥ）によって提供されることを特徴とする、請求項９に記載の方法。
【請求項１１】
ユーザと関連するあるセットのあるルールが、前記ユーザによって選択された法人に関連するルールの１つまたは複数のセットから作り出されることを特徴とする、請求項９および１０のいずれか一項に記載の方法。
【請求項１２】
異なるレベルの重要度がルールの少なくとも一部に割り当てられること、およびルールの中に対立するルールを含むセットがある場合、最高レベルの優先度を有するルールのみを考慮に入れることを特徴とする、請求項９から１１のいずれか一項に記載の方法。
【請求項１３】
前記ルールが、１つまたは複数の商品またはサービスの購入または使用に関連することを特徴とする、請求項１から１２のいずれか一項に記載の方法。
【請求項１４】
あるルールが、選択された期間の間一時的に適用されることを特徴とする、請求項１から１３のいずれか一項に記載の方法。
【請求項１５】
あるルールが、ユーザによって選択され、ユーザが同意する考えを記載するデジタル文書のテキスト部分に基づいて生成されることを特徴とする、請求項１から１４のいずれか一項に記載の方法。
【請求項１６】
商品またはサービスを表す識別子を受信した場合、受信された前記識別子に応じて前記商品またはサービスをその中から識別するために第１のデータのセットにアクセスし、次に少なくとも１つの情報源（ＳＩ）にアクセスし、この中で前記識別された商品またはサービスについての情報をリサーチし、次に前記リサーチされた情報を用いて前記識別された商品またはサービスが少なくとも１つの選択されたルールのセットを満たすかどうかを判断し、少なくとも前記判断の結果を示すメッセージを配信するように設計された分析の手段（ＭＡ）を含むことを特徴とする、商品およびサービスに関する情報の分析のための装置（Ｄ）。
【請求項１７】
前記識別された商品またはサービスが、選ばれたルールのセットを満たさないとき、前記分析の手段（ＭＡ）がこのように満たさない少なくとも１つの理由を示すメッセージを一様に配信するように設計されることを特徴とする、請求項１６に記載の装置。
【請求項１８】
前記識別された商品またはサービスが選ばれたルールのセットを満たさない可能性があるとき、前記分析の手段（ＭＡ）がこのように満たさない可能性の少なくとも１つの理由を示すメッセージを一様に配信するように設計されることを特徴とする、請求項１６および１７のいずれか一項に記載の装置。
【請求項１９】
前記識別された商品またはサービスが、選ばれたルールのセットを満たさないとき、または前記識別された商品またはサービスが、前記選ばれたルールのセットを満たさない可能性がある場合、前記分析の手段（ＭＡ）が、識別されたものと実質的に同等の少なくとも１つの商品またはサービスを特定しようと試み、したがって前記選ばれたルールのセットを満たし、このように特定された実質的に同等の各商品またはサービスを示すメッセージを一様に配信するように設計されることを特徴とする、請求項１６から１８のいずれか一項に記載の装置。
【請求項２０】
前記分析ツール（ＭＡ）が、商品またはサービスのクラスのインスタンスを特定することに終わる場合は「強い」と呼ばれ、あるいは商品またはサービスのクラスの付属物を特定することに終わる場合は「弱い」と呼ばれる商品またはサービスの識別を行うように設計されることを特徴とする、請求項１６から１９のいずれか一項に記載の装置。
【請求項２１】
ルールのセットの少なくとも一部が、機器（ＵＥ）を所有するユーザと関連することを特徴とする、請求項１６から２０のいずれか一項に記載の装置。
【請求項２２】
ユーザによって自然言語で、または仮制約として定義され、ユーザの機器（ＵＥ）によって提供される「事前ルール」を受信した場合、前記事前ルールを前記ユーザに関連するセット用のルールに転記するように設計された転記手段（ＭＴ）を含むことを特徴とする、請求項２１に記載の装置。
【請求項２３】
ユーザと関連するあるセットのあるルールが、前記ユーザによって選択された法人に関連するルールの１つまたは複数のセットから作り出されることを特徴とする、請求項２１および２２のいずれか一項に記載の装置。
【請求項２４】
前記分析ツール（ＭＡ）が、識別された商品またはサービス、および異なるレベルの重要度と関連するルール、および場合によってはその中に対立するルールを含むセットがある場合、最高レベルの優先度を有するルールのみを考慮に入れるように設計されることを特徴とする、請求項２１から２３のいずれか一項に記載の装置。
【請求項２５】
前記ルールが、１つまたは複数の商品またはサービスの購入または使用に関連することを特徴とする、請求項１６から２４のいずれか一項に記載の装置。
【請求項２６】
前記分析ツール（ＭＡ）が、選択された期間の間に一時的に適用されるルールがある場合、前記一時的なルールをその適用期間の間のみ適用するように設計されることを特徴とする、請求項１６から２５のいずれか一項に記載の装置。
【請求項２７】
請求項１６から２６のいずれか一項による分析装置（Ｄ）を含むことを特徴とする、通信ネットワークのためのサーバ（Ｓ）。
【発明の詳細な説明】
【技術分野】
【０００１】
本発明は、商品およびサービスに関する情報の分析の分野に関する。
【背景技術】
【０００２】
人は、商品またはサービスを購入または使用したいと思うとき、直ちにそれについての何らかの情報を取得することを望む場合がある。一例として、人は、商品がどこでどのような状況下で製造されるかを知り、そのような状況が自身の倫理的または義務論的な基準および／またはルールに対応するかどうか、あるいは、当人が自身の可能性のある医学的および／または身体的および／または宗教的制限を考慮に入れながら、商品を消費することが可能であるかどうかを検証したいと希望することがある。
【０００３】
購入および使用を希望する商品またはサービスについてのこのような情報を取得するには、少なくとも４つの解決法がある。
【０００４】
第１の解決法は、通信デバイスのブラウザ（サーチエンジン）によりウェブサイトなどの情報源を使って、またはやはり通信デバイスによる電話もしくは電子メールにより友人を使って、自身でリサーチを実行することにある。この第１の解決法は、一般にあまり有効ではない、および／または冗長である、および／または時間がかかる。
【０００５】
第２の解決法は、商品またはサービスに関する分析の要約または報告を、通信デバイスにより第三者から取得することにある。この第２の解決法は、概要または報告の分析が必要であり、これは非常に時間がかかる可能性がある。さらにこの解決法は、概要および報告が新しくない可能性があるので信頼できない可能性がある。さらに、異なる情報源から取得された概要または報告に含まれている情報を相互に関連させることは困難である可能性がある。
【０００６】
第３の解決法は、バーコードまたは識別子（場合によってはＲＦＩＤタイプ）のような商品またはサービスの識別子が取得されるようにするツールを使用することにある。このようなツールは、例えばＢａｒａｃｏｄａおよびＳｙｍｂｏｌによって販売されている。この解決法の主な欠点は、ツールが産業用の目的で（例えば、組立チェーン用、または商品目録を管理するため、あるいは盗用を制限するため）開発されたこと、したがって社会全般によってはほとんど使用されていないということにある。さらにこうしたツールは、商品の識別のみを可能にし、商品に関連する総合的な情報が取得されることを可能にせず、まして商品が何らかの特定の基準またはルールを満たすかどうかに関する確認はできない。
【０００７】
第４の解決法は、ルールエンジンによりテキストリサーチを実行することにある。この解決法の主な欠点は、ルールエンジンが、異なる保存形式を使用したソースから取得された情報のアイテム間の相関を可能にしないことにある。さらに、商品が正確に識別されなかった場合、ルールエンジンに照会することが困難である。さらに、ルールエンジンを使用するには、その言語（一般に自然言語ではない）を理解し、駆使することが必要であり、これは特に初心者には容易であるとは限らない。
【発明の概要】
【発明が解決しようとする課題】
【０００８】
知られている解決法には、十分に満足できるものがないので、本発明の目標は、したがってこの状況を改善することである。
【課題を解決するための手段】
【０００９】
この目的のために、本発明は、商品およびサービスに関する情報の分析に専用の方法であって、以下を含む：
−  第１のデータのセットの中で商品またはサービスを、それを表す識別子に応じて識別すること。
−  少なくとも１つの情報源において、識別された商品またはサービスに関連する情報をリサーチすること。
−  識別された商品またはサービスが、検索された情報を考慮に入れながら、少なくとも１つの選ばれたルールのセットを満たすかどうかを判断すること。
−  少なくとも判断の結果を示すメッセージを配信すること。
【００１０】
本発明の方法は、他の特性を含むことができ、この他の特徴は、詳細には個々にまたは組み合わせて取り入れられることが可能である：
−  識別された商品またはサービスが選ばれた基準のセットを満たさないとき、このように満たさないことの少なくとも１つの理由を示して、メッセージが一様に配信されることが可能である。
−  識別された商品またはサービスが、選ばれた基準のセットを満たさない可能性があるとき、このように満たさないことの可能性の少なくとも１つの理由を示して、メッセージが一様に配信されることが可能である。
−  識別された商品またはサービスが、選ばれた基準のセットを満たさない、または識別された商品またはサービスが選ばれた基準のセットを満たさない可能性があるとき、識別されたものと実質的に同等である少なくとも１つの商品またはサービスを特定するために、ある試みが行われることが可能であり、したがって選ばれたルールのセットを満たし、実質的に同等の各商品またはサービスがこのように特定されることを示すメッセージを一様に配信する。
−  商品またはサービスの識別は、これが商品またはサービスのクラスのインスタンスとなる場合の「強い」か、これが商品またはサービスのクラスの付属物となる場合の「弱い」のいずれかであることが可能である。この場合、弱い識別のための一般的な範囲のルール、および／または強い識別のための（高度に）厳密な範囲のルールを有することが可能である。
−  ルールセットは、例えば状況に応じて、時間とともに動的に発展することができる。
−  各識別子は、例えば（少なくとも）バーコードおよび識別子（場合によってはＲＦＩＤタイプ）の中から選ばれることが可能である。
−  識別子は、ユーザ機器によって取得され、その後提供されることが可能である。
−  ルールのセットのうちの少なくとも一部は、機器を所有するユーザと関連付けられることが可能である。
ユーザによって自然言語で、または仮制約として定義された「事前ルール」に基づいてルールの少なくとも一部を生成することが可能であり、これらはこのようなユーザが所有する機器によって提供される。
ユーザと関連するあるセットのあるルールは、ユーザが信頼を置くという理由で、ユーザによって選択された法人（例えば政府組織または非政府組織）に関連するルールのセットから作り出される場合がある（したがって、後の段階でルールを変更する可能性を維持しながらデフォルトルールを受け入れることができるユーザに対してセット定義作業を簡素化できるようにする）。
ルールには異なるレベルの重要度が割り当てられて、セットが対立するルールまたは競合するルールを含んでいるとき、最高レベルの優先度を有するルールのみを考慮に入れるようにすることが可能である。
−  ルールは、１つまたは複数の商品またはサービスの購入または使用に関連する可能性がある。
−  あるルールは、選択された期間に一時的に適用されることが可能である。
−  あるルールは、ユーザによって選択され、ユーザが同意する考えを記載するデジタル文書のテキスト部分に基づいて生成されることが可能である。
【００１１】
本発明はまた、商品およびサービスに関する情報の分析に専用の装置を提供し、商品またはサービスを表す識別子を受信した場合、ｉ）受信された識別子に応じて商品またはサービスをその中から識別するために第１のデータのセットにアクセスする、ｉｉ）少なくとも１つの情報源にアクセスし、その中で識別された商品またはサービスに関連する情報を検索する、次に、ｉｉｉ）識別された商品またはサービスが、検索された情報を考慮に入れて少なくとも１つの選ばれたルールのセットを満たすかどうかを判断する、ｉｖ）少なくとも上記判断の結果を示すメッセージを配信するように意図された分析ツールを含む。
【００１２】
本発明の装置は、別個にまたは組み合わせて取り入れられることが可能である、詳細には以下のような他の特徴を含むことができる：
−  その分析ツールは、識別された商品またはサービスが選ばれた基準のセットを満たさないとき、このように満たさなかった少なくとも１つの理由を示すメッセージを一様に配信するように意図されることが可能である。
−  その分析ツールは、識別された商品またはサービスが選ばれた基準のセットを満たさない可能性があるとき、このように満たさないことのこの可能性について少なくとも１つの理由を示すメッセージを一様に配信するように意図されることが可能である。
−  その分析ツールは、識別された商品またはサービスが選ばれた基準のセットを満たさない、または識別された商品またはサービスが選ばれた基準のセットを満たさない可能性があるとき、識別された商品またはサービスと実質的に同等である、したがって選択されたルールのセットを満たす少なくとも１つの商品またはサービスを特定するように試み、実質的に同等の各商品またはサービスがこのように特定されることを示すメッセージを一様に配信するように意図されることが可能である。
−  その分析ツールは、商品またはサービスのクラスのインスタンスの特定に終わる場合「強い」、あるいは商品またはサービスのクラスへの付属物の特定に終わる場合「弱い」と呼ばれる商品またはサービスの識別を行うように意図されることが可能である。その場合、弱い識別用の一般的な範囲のルールおよび／または強い識別用の（高度に）厳密な範囲のルールを有することが可能である。
−  装置は、ユーザによって自然言語で、または仮制約として定義され、ユーザの機器によって提供された「事前ルール」を受信した場合、事前ルールをユーザに関連するセットのためのルールに転記するように意図された転記手段を含むことができる。
−  その分析ツールは、識別された商品またはサービスがあり、異なるレベルの重要度と関連して、場合によっては互いに対立するルールを含むセットがある場合、最高レベルの優先度を有するルールのみを考慮に入れるように意図されることが可能である。
−  その分析ツールは、選択された期間の間一時的に適用されるルールがある場合、上記の一時的なルールをその適用期間の間のみ適用するように意図されることが可能である。
【００１３】
本発明はまた、通信ネットワークに接続されることを意図され、以上に説明したタイプの分析装置を配備されたサーバを開示する。
【００１４】
本発明の他の特徴および利点は、以下の詳細な説明、および添付の図面を考察すると明らかになり、添付の図面では単独の図が、本発明による分析装置の一実施形態を配備され、ユーザの通信機器もまた接続された通信ネットワークに接続されたサーバを非常に概略的に示している。図面は、本発明を完全なものにするだけでなく、妥当な場合は本発明を定義することに貢献している。
【図面の簡単な説明】
【００１５】
【図１】本発明による分析装置の一実施形態を配備され、ユーザの通信機器も接続された通信ネットワークに接続されたサーバを非常に概略的に示す。
【発明を実施するための形態】
【００１６】
本発明の目標は、商品またはサービスがあるルール（または基準）を満たすかどうかを確認する目的で商品またはサービスに関する情報の収集を可能にすることである。
【００１７】
商品および／またはサービスのすべてのタイプは、これらが識別可能であるならば常に、本発明に関係している。
【００１８】
本発明は、商品およびサービスに関する情報の分析に専用の方法を提案する。この種の方法は、４つの主な段階を含む。
【００１９】
第１の段階は、第１のデータのセットから商品またはサービスを、これを表す識別子に応じて識別することにある。
【００２０】
すべてのタイプの商品またはサービスの識別子は、これらが絶対的にまたは相対的に明瞭な方法で商品またはサービスを表すとすれば常に、使用されることが可能である。したがってこれらは、バーコードまたはシリアル番号など商品上の識別子にあるか、または（パッシブまたはセミパッシブ）ＲＦＩＤタイプの無線ラベルの電子チップメモリなど商品に備わっているメモリに格納されることが可能である。
【００２１】
単独の図に示すように、例えば識別子は、バーコードまたはＲＦＩＤ識別子リーダ（通常ＩＰＣｓまたは「Ｉｎｔｅｒｎａｔｉｏｎａｌ  Ｇｏｏｄ  Ｃｏｄｅｓ」と呼ばれる）のような適切なリーダＬを装備された装置ＵＥによって取得されることが可能である。
【００２２】
識別子は、本発明による情報分析装置Ｄに送信される。この装置（Ｄ）は、好ましくは通信ネットワークＮによってアクセスできる。例えばこれは、（単独の図に示すように）通信ネットワークＮに接続されたサーバＳの一部であることが可能である。しかしながら、これはまた、サーバに結合される、または通信装置を構成することも可能である。
【００２３】
識別子は、通信ネットワークＮに接続されることが可能であり、好ましくは上述の装置ＵＥ（リーダＬを装備されている（またはリーダＬに結合されている））である通信装置によって、装置Ｄに（またはこれを含んでいるもしくはこれに結合されたサーバＳに）送信される。好ましくはこのような装置ＵＥは、例えばリーダＬを装備された、移動電話もしくは携帯電話（場合によっては「スマートフォン」タイプ）、または通信することができ、かつリーダＬを装備された携帯情報端末（ＰＤＡ、場合によってはポケットＰＣタイプ）のような、比較的小さい寸法である。このような装置は、好ましくは通信ネットワークに加入したユーザが所有する。そのような場合、ユーザが自身の前に置かれた商品（またはサービス）を買うことができるかどうかを知りたいと思うとき、ユーザはリーダＬによって上記商品の識別子を取得するために装置ＵＥを使用し、次に装置ＵＥは、通信ネットワークＮを介して（例えば専用のアプリケーションにより）この識別子を装置Ｄに送信する。
【００２４】
この文脈において、通信ネットワークＮが例えばセルラまたは移動体型ネットワーク（ＧＳＭ、ＧＰＲＳ／ＥＤＧＥ、ＵＭＴＳ、またはＣＤＭＡ（２０００））、またはＷＬＡＮタイプ（ＷｉＭＡＸもしくはＷｉ−Ｆｉネットワークのような無線ローカルエリアネットワーク）のような無線ネットワークであることが有利であることは理解されるであろう。
【００２５】
変形では、装置ＵＥが独自の分析装置Ｄを装備されることが可能であることに注意されたい。
【００２６】
これは、第１のデータのセットの中で商品またはサービスを、これを表す識別子に応じて識別するタスクを有する分析装置Ｄである。そのためにこれは、より詳細にはその装置Ｄが商品またはサービスの識別子を受け取るたびに、第１のデータのセットにアクセスするタスクを有する分析モジュールＭＡを含む。
【００２７】
第１のデータのセットは、例えば識別子に対応するデータベースＢＤに格納される。図に示すように、こうしたデータベースＢＤは、例えば通信ネットワークＮを介して装置Ｄにアクセスできる。これらはインターネットサイトに属する（またはその一部である）か、あるいは事前のアクセス許可に従って直接アクセスできる（これは結果としてより速くなる可能性がある）場合がある。
【００２８】
例えば、分析モジュールＭＡが商品のバーコードを受信した場合、分析モジュールは、データベースＢＤに格納され、かつ商品を識別する受信されたバーコードに対応する第１のデータを特定するために、バーコードを格納しているデータベースＢＤにアクセスする。
【００２９】
分析モジュールＭＡは、「強い」または「弱い」と呼ばれる商品またはサービスの識別を行うことができることに注意されたい。強い識別は、商品またはサービスのクラスのインスタンスの特定（特定の自動車メーカーによって製造される特定の自動車の特定のモデルなど）に終わる識別である。弱い識別は、商品またはサービスのクラスへの付属物の特定（「自動車」というクラスなど）に終わる識別である。
【００３０】
本発明による方法の第２の段階は、少なくとも１つの情報源ＳＩで、第１の段階の間に識別された商品またはサービスに関連する情報をリサーチすることにある。
【００３１】
このリサーチは、分析装置Ｄによって一様に行われることは理解されるであろう。より詳細には、分析モジュールＭＡが商品またはサービスを識別したとき、分析モジュールＭＡは少なくとも１つの情報源ＳＩにアクセスし、その中で上記識別された商品またはサービスに関連する情報を検索する。このような検索は、検索エンジン（または同様のもの）など、検索モジュールの手段によって行われることが可能である。
【００３２】
情報源ＳＩは、いかなる種類のものとすることもできる。したがって情報源は、通信ネットワークＮを介して装置Ｄにアクセスできるインターネットサイトである可能性がある。例えばこのようなインターネットサイトＳＩは、詳細には商品の製造業者、またはサービスを提供する会社、または商品の配給業者、または会社およびその操業モードのリサーチを行う専門の会社、または商品および／またはサービスの分析を専門にする会社、または出版社もしくは印刷所（詳細にはそのデジタル出版物に関わるもの）、またはさらに政府機関もしくは非政府機関の所有するものである可能性がある。またインターネットサイトＳＩは、例えばフォーラム、または記事データベースサイト、またはさらに「ブログ」である可能性もある。ユーザは、異なる情報源ＳＩに対して異なるレベルの信頼度を割り当てることができることに注意されたい。
【００３３】
本発明による方法の第３の段階は、（第１の段階の間に識別された）商品またはサービスが、第２の段階の間にリサーチされた情報を考慮に入れながら、選択された少なくとも１つのルール（または１つの基準）のセットを満たすかどうかを判断することにある。
【００３４】
このリサーチは、分析装置Ｄによって一様に行われることは理解されるであろう。より詳細には、分析モジュールＭＡが識別された商品またはサービスに関する情報を特定したとき、分析モジュールはこの情報が選択された少なくとも１つのルール（または１つの基準）のセットを満たすかどうか検証する。
【００３５】
検証を行うために選択されたルールのセットは、この検証の基となる識別子を最初に提供した自然人（ユーザ）または法人（会社）に関連するセットであることも理解されるであろう。
【００３６】
言い換えれば、識別子がユーザによって提供される場合、分析モジュールＭＡはこのユーザに関連するルール（または基準）のセットを使用する。
【００３７】
ルールは、１つまたは複数の商品またはサービスの購入または使用に関連することが好ましい。
【００３８】
ルールの各セットを定義するデータは、ユーザ（または会社）の装置ＵＥの通信識別子のような、ユーザ（または会社）の識別子に対応するデータベースまたはメモリのような、格納手段ＭＳに格納されるのが好ましい。
【００３９】
上記格納手段ＭＳは、例えば単独の図に示すように装置Ｄの一部である。しかしながら、これは必須ではない。これらは実際には、サーバＳの一部である場合がある。
【００４０】
使用されるべきルールのセットが、識別子と同時に送信されると想定することも可能であることに注意されたい。この場合、ルールのセットを定義するデータがユーザの装置ＵＥに格納され、各クエリで送信される。
【００４１】
例えばユーザと関連するセットを構成しているルール（または基準）は、いかなる起源であることも可能である。したがって、セットは、ユーザによって、あるいは１つもしくは複数の政府または非政府機関、または会社、またはさらに非営利団体（場合によっては消費者団体）によって、あるいは実際には装置Ｄ自体によって定義された第１のルール（または基準）のみを含むことができる。しかしながら、セットは、ユーザによって定義された第１のルール（または基準）、および１つまたは複数の政府もしくは非政府機関、または会社、またはさらに非営利団体（場合によっては消費者団体）によって、あるいは実際には装置Ｄ自体によって定義された第２のルール（または基準）を同時に含むことができる。
【００４２】
ユーザのセットの定義に関する作業を簡単にするために、ユーザは、ユーザがこのようなエンティティに与える信頼のレベルに従って、１つもしくは複数の政府もしくは非政府機関、または１つもしくは複数の会社、または実際には１つもしくは複数の非営利団体（場合によっては消費者団体）を単に選択することができることに注意されたい。この場合、ユーザのルールのセットは、自動的におよびデフォルトにより、ユーザによって選択された各機関または会社または団体のルールを含む。当然ながらユーザは、後にこうしたルールのうちのいくつかを削除する（または変更する）、および／または第１のセットに他のルールを追加するオプションを保持する。
【００４３】
次のものは、非政府組織Ｘによって定義されたあるルールに関する例の非網羅的なリストである：
−  「Ｘは木材で家を建てることを推奨する。」
−  「Ｘは［会社］Ｙの製品を買わないことを推奨する。」
−  「Ｘは物質Ｚを含んでいる製品を買わないことを推奨する。」
−  「［会社］Ｈは子供の労働者を使用しているので、Ｘは［Ｈ］によって製造された製品のボイコットを求める。」
−  「Ｘは公正な取引の製品を買うことを推奨する。」
−  「Ｘは動物保護法に従わない製品を買わないことを推奨する。」
【００４４】
あるルールは、弱い識別にさらに使用されるために全体的な範囲を有し、他のルールは、強い識別にさらに使用されるために（非常に）厳密な範囲を有することができることに注意されたい。例えば、ユーザのルールのセットは、公共交通機関の使用を推奨し、したがって型またはブランドにかかわらず自動車の購入を強く思いとどまらせる非政府団体によって定義されたルールを含むことができる。ユーザのルールのセットは、特定のブランドが例えば欧州連合から環境に優しい品質に関する特別の賞賛を得たことにより、特定のブランドを使用することを推奨する非政府組織によって定義されたルールを含むこともできる。
【００４５】
上に示すように、装置Ｄは、ユーザ自身が指定された辞書または百科事典などの情報源に格納された情報に基づいて定義した場合があるユーザへのルールを提案することができる。これは、詳細には医学的または薬学的ルールの場合である可能性がある。
【００４６】
ユーザがユーザのルールのセットを定義するために、ユーザの機器ＵＥは、例えばユーザがそのルールの全部もしくは一部を選択するために、政府もしくは非政府機関、または会社、またはさらに非営利団体（場合によっては消費者団体）によって定義された公開ルールのセットにアクセスできるようになる専用のアプリケーションを装備されることが可能である。この選択は、公開ルールセットが機器ＵＥにダウンロードされたとき、および／またはリモートで公開ルールセットがサーバＳの専用のウェブサイトを介してアクセスできるとき、ローカルに（すなわち機器ＵＥで）行われることが可能である。
【００４７】
またこの専用のアプリケーションは場合によっては、ユーザがユーザの従う考えを記載するデジタル文書のテキスト部分を選択できるようにすることも可能である。その場合、専用のアプリケーションは、選択されたテキスト部分に基づいてルールを生成し、（場合によってはユーザの承認を得るためにユーザに提示した後に）このようなルールを関連するユーザのセットに組み込む。
【００４８】
ルールのセットを構成しているある一定のルールは、やむを得ず専用のアプリケーションを用いてユーザによって定義され、提供されたものではないことに注意することが重要である。実際には、本発明はユーザが自然言語でまたは仮制約として「事前ルール」を提供できるようにする。その場合、各事前ルールは、（１つまたは複数のルール／情報の相関によって）検証を行うために、分析モジュールＭＡによって理解できる（および「そのまま」使用できる）ルールに転記される。
【００４９】
上記の転記は、転記モジュールＭＴを用いて行われることが可能である。このモジュールは、装置Ｄの構成要素であることが好ましい。しかしながら、このモジュールは、各機器ＵＥにインストールされ、ユーザがユーザのルールのセットを構成するためにルールを定義および／または選択できるようにする専用のアプリケーションの構成要素であると想定することが可能である。
【００５０】
転記は、格納されている（および通信ネットワークＮを介してアクセスできる）情報データへの転記モジュールＭＴによるアクセスを必要とする可能性があることに注意されたい。これは特に、事前ルールが例えば、専門の辞書に含まれているような公開の医学的または薬学的情報を考慮に入れながらルールのサブセットを構築するのに役立つことが可能である、医学的または薬学的指示に関連する場合である。
【００５１】
次に、一例として、あるユーザの事前ルールの非網羅的なリストを記載する：
−  「私は大豆アレルギーである。」
−  「私はジャガイモが好きではない。」
−  「脂肪含有率３０％を超える製品を選択しない。」
−  「私は豚肉を食べない。」
−  「私は菜食主義者である。」
【００５２】
ユーザに関連するルールのセットを定義するデータが、格納手段ＭＳに格納されると、データは実際には、ユーザが専用のアプリケーションを用いて（したがって通信ネットワークＮを介して）データを変更するたびに更新される。ルールセットはこのように、例えば状況に応じて、時間とともに動的に発展することが可能である。
【００５３】
また、ユーザおよび会社と関連するルールのセットを定義するデータが、格納手段ＭＳに格納されると、分析モジュールＭＡがユーザまたは会社のために検証（第３の段階）を行う必要があるたびに、分析モジュールＭＡは格納手段ＭＳにアクセスし、そこに格納された、ユーザまたは会社の通信識別子に対応するルールのセットを取り出し、使用する。
【００５４】
分析モジュールＭＡが適用するルールのセットおよび商品またはサービスに関連する情報を所有すると、分析モジュールＭＡは（ルールと情報との相関によって）検証ステップに進むことができる。そのために、分析モジュールＭＡは、例えば、識別された商品またはサービスに対して取得された情報の意味を理解する、その後その商品またはサービスが、適切な関連情報の意味を考慮に入れながら、選択されたルールのセットに適合するかどうか検証するために、意味リサーチを実行するように設計されたサブモジュールＳＭＡを含むことができる。
【００５５】
この文脈において「意味リサーチ」とは、適切な場合には、冠詞、前置詞、または接続詞のような非関連キーワードと組み合わせて、対象を定義する関連キーワードによって行われるリサーチを意味する。
【００５６】
ＳＭＡサブモジュールは検証を完了すると、結果を提供する。
【００５７】
いかなるタイプの結果が配信されることも可能である。したがって結果は、識別された商品またはサービスが選択されたルールセットに適合することを意味する専用コードに、または識別された商品またはサービスが選択されたルールセットに適合しないことを意味する専用コードに、またはさらに識別された商品またはサービスが選ばれたルールセットを満たさない可能性があることを意味する専用コードにある場合がある。しかしながらコードは、文字式と置き換えられることが可能である。
【００５８】
結果はまた、場合によっては他の情報とともに完成されることも可能であることに注意されたい。したがって、専用コードが、識別された商品またはサービスが選択されたルールのセットに適合しないことを意味するとき、この適合しないことを説明する少なくとも１つの理由を専用コードに添付されることが可能である。同様に、専用コードが、識別された商品またはサービスが選ばれたルールのセットに適合しない可能性があることを意味する場合、この適合しない可能性を説明する少なくとも１つの理由を専用コードに添付されることが可能である。例えば理由は、満たされなかった、その後指定されるルールであることが可能である。
【００５９】
専用コードが、識別された商品またはサービスが選択されたルールセットに適合しないと示すとき、または識別された商品またはサービスが選ばれたルールセットを満たさない可能性があると示すとき、（可能であれば）識別された商品またはサービスと実質的に同等の少なくとも１つの商品またサービスの（簡単な）説明を添付されるべきであり、結果として選択されたルールセットを満たすと想定することも可能である。
【００６０】
この後者の場合、選ばれたルールのセットを満たす１つまたは複数の同等の商品またはサービスが実際にあるかどうかを判断する目的で、データベースおよび情報源ＳＩにおいて（相関によって）新たなリサーチおよび検証を行うために、装置Ｄの分析モジュールＭＡを必要とすることを理解されたい。
【００６１】
図のように一例として、装置Ｄはスーパーマーケットによって販売される商品のデータベースを使用することが可能であり、買い物客に望まれるものと同等の１つまたは複数の商品をリサーチするために、スーパーマーケットには、その時に購入を希望する商品に関する検証をすでに始めたユーザがいる。次に装置Ｄは、このような同等の商品に関連する情報を検索し、関連情報の意味を考慮に入れながら同等の商品が選ばれたルールに適合するかどうかを検証し、肯定では、専用コードに各同等商品またはサービスの簡単な説明が添付されることが可能であり、一方、応答が否定の場合には、専用コードに例えば「利用できる同等品なし」のような表現が添付されることが可能である。
【００６２】
また補足情報が代替品または代用品を示すことも可能であることに注意されたい。これは、ルールが文脈タイプである場合でありうる。限定ではないが一例では、ルールのセットの中の１つのルールが、これに関連するユーザが単に旬のフルーツおよび野菜を摂取したいと望むことを示すことがある。この場合、ユーザが果物または野菜の購入に関して検証要求を送信したとき、装置Ｄの分析モジュールＭＡは、ユーザが位置する国を考慮に入れながら、識別された果物または野菜が本当に旬であるかどうかを情報源の中で判断する。応答が否定である場合、他の旬の果物および野菜が、追加情報によって検索され、提案される場合がある。
【００６３】
本発明による方法の第４の段階は、第３の段階の間に行われた判断（検証）の少なくとも結果を示すメッセージを配信することにある。
【００６４】
このメッセージもまた、分析装置Ｄによって配信され、識別子を提供し、したがって検証を要求した機器ＵＥに送信されることは理解されるであろう。より正確には、分析モジュールＭＡが検証の結果ならびに（例えば同等の商品またはサービスを見つけるために、リサーチおよび追加検証から生じる）可能性のある他の補足情報を取得したとき、分析モジュールＭＡは、自然言語で、または仮制約として、結果ならびに可能性のある追加情報を示すメッセージを生成する。その後、分析モジュールＭＡはそのメッセージを関連機器ＵＥに送信するようその装置に要求する。上記メッセージは、その後テキスト形式（これは場合によっては機器ＵＥのスピーカによってブロードキャストされる音声メッセージに変換されることが可能である）で機器ＵＥの画面に表示される。
【００６５】
セットのあるルールは、選択された期間に一時的に適合することが可能であることに注意されたい。これは、例えば処方箋に基づいて、または一時的な食事制限のために定義されるルールの場合である可能性がある。
【００６６】
次に、一例として、ある一時的なルールの非網羅的リストを記載する。
−  「一週間乳製品を食べてはならない。」
−  「３日間、一日に一度バナナと米を食べること。」
−  「一週間、牛乳を飲んではならない。」
【００６７】
先に示したように、こうしたルールの一部は、ユーザによって提供されるルールに基づいて、また専門のデータベースから取得される情報に基づいて、装置Ｄによって（例えば、その転記モジュールＭＴによって）定義されることが可能である。これは詳細には、他の薬または製品と同時に使用されてはならない薬剤を示す処方箋から生じるルールの場合である可能性がある。したがって、「一週間、牛乳を飲んではならない」というルールは、ユーザが処方箋を取得したことに関連して、ユーザが一週間薬剤Ｗを服用しなければならないこと、およびさらに薬剤Ｗと一緒に牛乳を摂取することに関する禁忌があることを示すルールを提供したことから生じる可能性がある。
【００６８】
ある一時的なルールは、危険を示すために政府機関によって定義される警告ルールを構成することができることに注意されたい。これらはこのとき、特定の地域（または領域）から生じる１つまたは複数の商品を消費することに賛成する推奨（または消費することの禁止）として提示される。例えば、所与の湖または海域からの魚および甲殻類を食べないように推奨されることがある。このような一時的な警告ルールは、関連ユーザの許可を有して適切である場合、装置Ｄの格納手段ＭＳに格納されたルールの各セットに自動的に含まれることが可能である。
【００６９】
分析モジュールＭＡはしたがって、ルールに示された使用期間の間にのみ一時的制約を含む、格納手段ＭＳに格納した日から始まるルールを使用するように設計されることが可能である。この使用期間が終了すると、分析モジュールＭＡは一時的なルールを格納手段ＭＳから削除するように設計されている。ユーザのルールセットに新しく加えられる一時的なルールは、その使用期間中にこのユーザによって行われる各新しい検証要求の中で使用されることを理解されたい。
【００７０】
装置Ｄの分析モジュールＭＡは、セットが対立する（または競合する）ルールを含んでいるとき検証を行うように設計される可能性があることに注意することが重要である。この状況は、詳細にはユーザが、ユーザ自身の第１のルール（事前ルール）、および１つまたは複数の法人によって定義されるルールの第２のセットに基づいて、自身のルールのセットを構成することを決断するときに発生する可能性がある。
【００７１】
分析モジュールＭＡがルール間の競合を解決可能になるように、例えばユーザが、ユーザのそれぞれのセットを構成するために選択するルールの少なくとも一部に様々なレベルの重要度があると想定することが可能である。ルールはその後、その重要度のレベルによって格納される。その場合、分析モジュールＭＡは、対立する（または競合する）ルールの少なくとも１つのペアを含むセットがある場合、最も低いレベルの重要度と関連する各ペアのルールを考慮に入れないように設計されている。
【００７２】
本発明による情報分析装置Ｄ、より詳細には、その分析モジュールＭＡおよびその（潜在的には）転記モジュールＭＴおよび格納手段ＭＳは、好ましくはソフトウェア（または情報技術）モジュールの形態で具体化される。しかしながらこれらは、電子回路の形態で、または電子回路と適切なインターフェースを介して互いと通信するのに好適なソフトウェアモジュールの組合せの形態で構成されることも可能である。
【００７３】
本発明は、情報分析装置、サーバ、および上記の情報分析方法の諸実施形態に限定されず、正しくは一例としてここに表されており、本発明は添付の特許請求の範囲の枠組みの中で当業者が想定することができるすべての変形物を含んでいる。
【図１】
2011523471.tif 000003
【国際調査報告】
2011523471.tif 000004
2011523471.tif 000005
2011523471.tif 000006
2011523471.tif 000007